(57)【要約】【課題】各種電子機器に用いられるタッチパネル及びこれを用いた入力装置に関し、機器のカバーへの貼り直しが容易なものを提供することを目的とする。【解決手段】複数の略帯状の上導電層２３と下導電層２４が直交方向に形成された光透過性の基板の上面または下面に、強粘着性接着層２６Ａと弱粘着性接着層２６Ｂを重ねて形成することによって、機器のカバー１０に一旦貼付したタッチパネル２８を剥がして貼り直しを行う際、弱粘着性接着層２６Ｂによってカバー１０から容易に剥離が行えると共に、弱粘着性接着層２６Ｂが強粘着性接着層２６Ａに接着された状態で剥離が行われ、カバー１０に弱粘着性接着層２６Ｂが転写し付着することもないため、これを除去する手間も不要となり、容易に貼り直しが可能なものを得ることができる。【選択図】図１
2009093397.tif 000002
【特許請求の範囲】
【請求項１】
複数の略帯状の上導電層と下導電層が直交方向に形成された光透過性の基板の上面または下面に、強粘着性接着層と弱粘着性接着層を重ねて形成したタッチパネル。
【請求項２】
弱粘着性接着層を熱可塑性エラストマーで形成した請求項１記載のタッチパネル。
【請求項３】
請求項１記載のタッチパネルを光透過性のカバーの下面に貼付すると共に、上記タッチパネルの下方に表示素子を配置した入力装置。
【発明の詳細な説明】
【技術分野】
【０００１】
本発明は、主に各種電子機器の操作に用いられるタッチパネル及びこれを用いた入力装置に関するものである。
【背景技術】
【０００２】
近年、携帯電話やカーナビ等の各種電子機器の高機能化や多様化が進むに伴い、液晶表示素子等の表示素子の前面に光透過性で静電式のタッチパネルを装着して、このタッチパネルを通して背面の表示素子に表示された文字や記号、絵柄等の視認や選択を行うと共に、指や専用ペン等でタッチパネルに触れ操作することによって、機器の様々な機能の切換えを行うものが増えており、視認性に優れ操作の行い易いものが求められている。
【０００３】
このような従来のタッチパネル及びこれを用いた入力装置について、図４及び図５を用いて説明する。
【０００４】
なお、構成を判り易くするために、図面は厚さ方向の寸法を拡大して表している。
【０００５】
図４は従来のタッチパネルの断面図であり、同図において、１はフィルム状で光透過性の上基板、２は同じく光透過性の下基板で、上基板１と下基板２の上面には、酸化インジウム錫等の光透過性で略帯状の複数の上導電層３と、同じく光透過性で略帯状の複数の下導電層４が直交方向に配列されている。
【０００６】
そして、５はフィルム状で光透過性のシートで、下基板２の上面に上基板１が、上基板１の上面にシート５が各々積重され、接着剤（図示せず）等によって、これらが貼り合わされている。
【０００７】
さらに、６はアクリルやシリコーンゴム等の接着層で、このシート５上面に形成された接着層６の上面に、離型紙７が貼付されてタッチパネル８が構成されている。
【０００８】
また、図５は従来の入力装置の断面図であり、同図において、９は絶縁樹脂製の筐体で、この筐体９上面の開口部には透明な絶縁樹脂製のカバー１０が固着されると共に、上記のように構成されたタッチパネル８が、離型紙７を剥がした後、カバー１０下面に接着層６によって貼付されている。
【０００９】
そして、１１は液晶表示素子等の表示素子で、この表示素子１１がタッチパネル８下面に配置されると共に、タッチパネル８の複数の上導電層３と下導電層４や、表示素子１１がコネクタやリード線（図示せず）等を介して、機器の電子回路（図示せず）に接続されて、入力装置が構成されている。
【００１０】
以上の構成において、電子回路から複数の上導電層３と下導電層４へ順次電圧が印加された状態で、タッチパネル８背面の表示素子１１の表示に応じて、カバー１０上面を指や専用ペン等で触れて操作すると、この操作した箇所の上導電層３と下導電層４の間の静電容量が変化するため、これによって操作された箇所を電子回路が検出し、機器の様々な機能の切換えが行なわれる。
【００１１】
つまり、例えば複数のメニューが表示素子１１に表示された状態で、所定のメニュー上のカバー１０上面に触れると、この操作した箇所のタッチパネル８の上導電層３と下導電層４の間の静電容量が変化し、これを電子回路が検出することによって、メニューの選択等が行われるように構成されている。
【００１２】
なお、このようなタッチパネル８をカバー１０下面に貼付する際に、位置ずれ等の貼り間違いが生じ、一旦剥がして貼り直しを行おうとした時、接着層６にアクリル等の強粘着性のものを用いた場合には、接着層６の接着力が強いため、接着層６が不規則に破断して、タッチパネル８上面にもカバー１０下面にも接着層６が残ってしまう。
【００１３】
このため、このカバー１０下面に付着した接着層６を除去してから、再度別のタッチパネル８をカバー１０に貼り直す必要があり、貼り直し作業に手間のかかるものであった。
【００１４】
また、接着層６にシリコーンゴム等の弱粘着性のものを用いた場合には、接着層６の接着力が弱く、接着層６全体がタッチパネル８上面か、カバー１０下面かのどちらかに転写し付着してしまうため、カバー１０下面に残った場合には、同様に貼り直しの際、これを除去する必要がある。
【００１５】
なお、この出願の発明に関連する先行技術文献情報としては、例えば、特許文献１が知られている。
【特許文献１】特開２００５−２７４６６７号公報
【発明の開示】
【発明が解決しようとする課題】
【００１６】
しかしながら、上記従来のタッチパネル及びこれを用いた入力装置においては、タッチパネル８を機器のカバー１０下面に貼付する際に、位置ずれ等の貼り間違いが生じ、一旦剥がして貼り直しを行おうとした場合、カバー１０下面に付着した接着層６を除去する必要があるため、貼り直し作業が煩雑で時間を要するという課題があった。
【００１７】
本発明は、このような従来の課題を解決するものであり、機器のカバーへの貼り直しが容易に行えるタッチパネル、及びこれを用いた入力装置を提供することを目的とする。
【課題を解決するための手段】
【００１８】
上記目的を達成するために本発明は、以下の構成を有するものである。
【００１９】
本発明の請求項１に記載の発明は、複数の略帯状の上導電層と下導電層が直交方向に形成された光透過性の基板の上面または下面に、強粘着性接着層と弱粘着性接着層を重ねて形成してタッチパネルを構成したものであり、機器のカバーに一旦貼付したタッチパネルを剥がして貼り直しを行う際、弱粘着性接着層によってカバーから容易に剥離が行えると共に、弱粘着性接着層が強粘着性接着層に接着された状態で剥離が行われ、カバーに弱粘着性接着層が転写し付着することもないため、これを除去する手間も不要となり、貼り直しを容易に行うことが可能なタッチパネルを得ることができるという作用を有する。
【００２０】
請求項２に記載の発明は、請求項１記載の発明において、弱粘着性接着層を熱可塑性エラストマーで形成したものであり、シリコーンゴムやウレタンゴム等の単独の材料で弱粘着性接着層を形成したものに比べ、材料の混合比によって弱粘着性接着層の接着力の調整を容易に行うことができるという作用を有する。
【００２１】
請求項３に記載の発明は、請求項１記載のタッチパネルを光透過性のカバーの下面に貼付すると共に、タッチパネルの下方に表示素子を配置して入力装置を構成したものであり、カバーへのタッチパネルの貼り直しが容易な入力装置を実現することができるという作用を有する。
【発明の効果】
【００２２】
以上のように本発明によれば、容易に貼り直しが可能なタッチパネル及びこれを用いた入力装置を実現することができるという有利な効果が得られる。
【発明を実施するための最良の形態】
【００２３】
以下、本発明の実施の形態について、図１〜図３を用いて説明する。
【００２４】
なお、構成を判り易くするために、図面は厚さ方向の寸法を拡大して表している。
【００２５】
また、背景技術の項で説明した構成と同一構成の部分には同一符号を付して、詳細な説明を簡略化する。
【００２６】
（実施の形態）
図１は本発明の一実施の形態によるタッチパネルの断面図、図２は同分解斜視図であり、同図において、２１はポリエーテルサルホンやポリカーボネート、ポリエチレンテレフタレート等のフィルム状で光透過性の上基板、２２は同じく光透過性の下基板で、上基板２１と下基板２２の上面には、酸化インジウム錫や酸化錫等の光透過性で略帯状の複数の上導電層２３と、同じく光透過性で略帯状の複数の下導電層２４が直交方向に配列されている。
【００２７】
そして、この複数の上導電層２３と下導電層２４は、図２に示すように、略方形の複数の導電部２３Ａと２４Ａが帯状に連結されて形成されると共に、これらの間には、略方形の複数の空隙部２３Ｂと２４Ｂが設けられ、上基板２１と下基板２２が積重された状態では、複数の導電部２３Ａと空隙部２４Ｂが、空隙部２３Ｂと導電部２４Ａが各々交互に上下で重なるように形成されている。
【００２８】
また、２５はフィルム状で光透過性のシートで、この上面全面には酸化インジウム錫や酸化錫等のアース層２５Ａが形成されると共に、下基板２２の上面に上基板２１が、上基板２１の上面にシート２５が各々積重され、アクリルやゴム等の接着剤（図示せず）等によって、これらが貼り合わされている。
【００２９】
さらに、２６Ａはアクリル等の対ガラス粘着力が０．１〜２０Ｎ／ｃｍの強粘着性接着層、２６Ｂはオレフィン系やスチレン系等の対ガラス粘着力が０．０１〜０．５Ｎ／ｃｍの弱粘着性接着層で、この強粘着性接着層２６Ａと弱粘着性接着層２６Ｂがシート２５上面に重ねて形成されている。
【００３０】
そして、２７は紙やフィルム等の離型紙で、この離型紙２７がシート２５上面に貼付され、弱粘着性接着層２６Ｂ上面を覆って、タッチパネル２８が構成されている。
【００３１】
なお、上記のような強粘着性接着層２６Ａや弱粘着性接着層２６Ｂは、シート２５上面に、スクリーン印刷等によって先ず強粘着性接着層２６Ａを塗布してから乾燥し、この上に弱粘着性接着層２６Ｂを同様に重ねて形成することで、比較的容易に製作することができる。
【００３２】
また、図３はこのようなタッチパネル２８を用いた入力装置の断面図であり、同図において、９はポリスチレンやＡＢＳ等の絶縁樹脂製の筐体で、この筐体９上面の開口部には透明な絶縁樹脂製のカバー１０が固着されると共に、上記のように構成されたタッチパネル２８が、離型紙２７を剥がした後、カバー１０下面に上面の弱粘着性接着層２６Ｂによって貼付されている。
【００３３】
そして、１１は液晶表示素子等の表示素子で、この表示素子１１がタッチパネル２８下面に所定の間隙、例えば０．５〜１ｍｍ前後の間隙を空けて配置されると共に、タッチパネル２８の複数の上導電層２３と下導電層２４や、表示素子１１、アース層２５Ａがコネクタやリード線（図示せず）等を介して、機器の電子回路（図示せず）に接続されて、入力装置が構成されている。
【００３４】
以上の構成において、電子回路から複数の上導電層２３と下導電層２４へ順次電圧が印加された状態で、タッチパネル２８背面の表示素子１１の表示に応じて、カバー１０上面を指や専用ペン等で触れて操作すると、この操作した箇所の上導電層２３と下導電層２４の間の静電容量が変化するため、これによって操作された箇所を電子回路が検出し、機器の様々な機能の切換えが行なわれる。
【００３５】
つまり、例えば複数のメニューが表示素子１１に表示された状態で、所定のメニュー上のカバー１０上面に指を触れると、この指に蓄積された電荷の一部が導電して、操作した箇所のタッチパネル２８の上導電層２３と下導電層２４の間の容量が変化し、これを電子回路が検出することによって、メニューの選択等が行われるように構成されている。
【００３６】
なお、この時、複数の上導電層２３と下導電層２４が、導電部２３Ａに空隙部２４Ｂが、空隙部２３Ｂに導電部２４Ａが各々交互に重なり、上下に位置するように積重されると共に、指による容量の変化を上導電層２３と下導電層２４の間ではなく、操作された箇所近傍の上導電層２３と下導電層２４の各々の容量変化によって検出するようになっているため、電子回路による操作箇所の検出を簡易に行えるようになっている。
【００３７】
すなわち、電子回路がタッチパネル２８の容量変化を検出する際、導電部２３Ａと導電部２４Ａが上下に交互に形成された、上導電層２３と下導電層２４の容量変化を検出することによって、複数の上導電層２３と下導電層２４を合わせた本数分の検出ですみ、簡易に操作箇所の検出を行うことが可能なように構成されている。
【００３８】
また、上記のようなタッチパネル２８の操作時、タッチパネル２８上面のシート２５上面に形成されたアース層２５Ａによって、タッチパネル２８から生じる電磁ノイズを除去することができるため、誤動作がなく、確実な入力操作が行えるようになっている。
【００３９】
さらに、タッチパネル２８下面と表示素子１１の間に、所定の間隙を空けることによって、表示素子１１からタッチパネル２８へのノイズを低減して、誤動作を防ぎ、より安定した操作が可能なようになっている。
【００４０】
そして、このようなタッチパネル２８は、強粘着性接着層２６Ａと重ねて形成された弱粘着性接着層２６Ｂによって、カバー１０下面に貼付されているため、タッチパネル２８をカバー１０に貼付する際に、位置ずれ等の貼り間違いが生じ、一旦剥がして貼り直しを行う場合にも、貼り直しが容易に行えるようになっている。
【００４１】
つまり、タッチパネル２８をカバー１０から剥がす際、カバー１０との接着は接着力の弱い弱粘着性接着層２６Ｂで行われているため、軽い力でカバー１０からタッチパネル２８を容易に剥離することができる。
【００４２】
そして、この弱粘着性接着層２６Ｂは接着力の強い強粘着性接着層２６Ａに積層されているため、タッチパネル２８を剥がす際には、弱粘着性接着層２６Ｂ全体が強粘着性接着層２６Ａに接着された状態で剥離が行われ、カバー１０上面には弱粘着性接着層２６Ｂが転写し付着することがないため、これを除去する手間も生じないようになっている。
【００４３】
さらに、弱粘着性接着層２６Ｂがオレフィン系やスチレン系等の熱可塑性エラストマーで形成されているため、材料の混合比によって弱粘着性接着層２６Ｂの接着力の調整を容易に行うことができるようになっている。
【００４４】
つまり、弱粘着性接着層２６Ｂにシリコーンゴムやウレタンゴム等の単独の材料を使用しても、本発明の実施は可能であるが、熱可塑性エラストマーの場合、例えば、オレフィン系はエチレン−プロピレンとポリエチレン・ポリプロピレン、スチレン系はポリブタジエンとポリスチレン、ウレタン系はポリエステル・ポリエーテルとポリウレタン、エステル系はポリエーテル・ポリエステルとポリエステル、ポリ塩化ビニル系は非結晶と結晶性のポリ塩化ビニルというように、ソフトセグメントとハードセグメントが混合されている。
【００４５】
したがって、弱粘着性接着層２６Ｂに熱可塑性エラストマーを用いた場合、これらの材料の混合比によって、接着力を比較的容易に変化させることができるため、強粘着性接着層２６Ａの接着力に応じて、弱粘着性接着層２６Ｂの接着力を調整し、所望の剥離力を得られるようになっている。
【００４６】
なお、以上の説明では、上基板２１と下基板２２の上面に、上導電層２３と下導電層２４を直交方向に形成すると共に、シート２５上面にアース層２５Ａを形成し、これらを積重してタッチパネル２８を形成した構成について説明したが、一枚の基板の上面に、下導電層２４と上導電層２３、アース層２５Ａを重ねて形成した構成としても、本発明の実施は可能である。
【００４７】
つまり、一枚の基板の上面に印刷等によって、複数の下導電層２４を形成した後、この上をポリエステルやエポキシ等の絶縁層で覆い、この上に下導電層２４と直交方向に上導電層２３を重ねて形成し、さらに絶縁層とアース層２５Ａを順次重ねて形成した構成とすれば、構成部品数を減らし、安価にタッチパネルを形成することができる。
【００４８】
また、以上の説明では、タッチパネル２８下面と表示素子１１の間に、所定の間隙を空けた入力装置の構成について説明したが、ややノイズ低減の効果は少なくなるが、タッチパネル２８下面にも強粘着性接着層２６Ａと弱粘着性接着層２６Ｂを形成し、タッチパネル２８と表示素子１１を貼付する構成としても、本発明の実施は可能である。
【００４９】
このように本実施の形態によれば、複数の略帯状の上導電層２３と下導電層２４が直交方向に形成された光透過性の基板の上面または下面に、強粘着性接着層２６Ａと弱粘着性接着層２６Ｂを重ねて形成してタッチパネル２８を構成することによって、機器のカバー１０に一旦貼付したタッチパネル２８を剥がして貼り直しを行う際、弱粘着性接着層２６Ｂによってカバー１０から容易に剥離が行えると共に、弱粘着性接着層２６Ｂが強粘着性接着層２６Ａに接着された状態で剥離が行われ、カバー１０に弱粘着性接着層２６Ｂが転写し付着することもないため、これを除去する手間も不要となり、容易に貼り直しが可能なタッチパネル及びこれを用いた入力装置を得ることができるものである。
【００５０】
また、弱粘着性接着層２６Ｂを熱可塑性エラストマーで形成することによって、シリコーンゴムやウレタンゴム等の単独の材料で弱粘着性接着層を形成したものに比べ、材料の混合比によって弱粘着性接着層２６Ｂの接着力の調整を容易に行うことができる。
【産業上の利用可能性】
【００５１】
本発明によるタッチパネル及びこれを用いた入力装置は、容易に機器のカバー等への貼り直しが可能なものを提供することができるという有利な効果を有し、各種電子機器の操作用として有用である。
【図面の簡単な説明】
【００５２】
【図１】本発明の一実施の形態によるタッチパネルの断面図
【図２】同分解斜視図
【図３】同入力装置の断面図
【図４】従来のタッチパネルの断面図
【図５】同入力装置の断面図
【符号の説明】
【００５３】
９  筐体
１０  カバー
１１  表示素子
２１  上基板
２２  下基板
２３  上導電層
２３Ａ、２４Ａ  導電部
２３Ｂ、２４Ｂ  空隙部
２４  下導電層
２５  シート
２５Ａ  アース層
２６Ａ  強粘着性接着層
２６Ｂ  弱粘着性接着層
２７  離型紙
２８  タッチパネル
【図１】
2009093397.tif 000003
【図２】
2009093397.tif 000004
【図３】
2009093397.tif 000005
【図４】
2009093397.tif 000006
【図５】
2009093397.tif 000007